(57)【要約】【課題】本発明は防砂サイクリングマスクを開示した。【解決手段】使用する時、モーターを始動して第一傘歯車を回転連動させ、第一傘歯車が噛合によって第二傘歯車とウォームとを回転連動させ、ウォームが噛合によってターボと線巻きブロックとを回転連動させ、線を環状溝に巻き付かせ、右側の線がスライドボードを右へ引っ張り、撥条を押し動かして力を蓄え、同時に左側の線がぜんまいを引っ張り力を蓄え、スライドボードが左右に移動してラックを同期的に移動連動させ、ラックが噛合によって歯車と揺動軸とを回転連動させ、揺動軸が回転して揺動棒とスポンジとを揺動連動させ、透明板の表面の砂を両側に払う；【選択図】図１
2020176359.tif 000002
【特許請求の範囲】
【請求項１】
防砂サイクリングマスクであって、外殻を含み、前記外殻の中には透明板が設置され、前記外殻の中には前記透明板の表面の砂を除く揺動部品が設置され、前記揺動部品は前記外殻の中に位置する揺動チャンバを含み、前記揺動チャンバの頂壁には固定ブロックが固定的に取り付けられ、前記固定ブロックの中には下に開口したスライド溝が設置され、前記スライド溝の中にはスライドボードがスライドできるように取り付けられ、前記揺動チャンバの左右両側には前記スライドボードの左右移動を制御する制御部品が設置され、前記外殻の中には前記制御部品の作動を制御する駆動部品が設置され、前記外殻の中に及び前記外殻の端面には作動及び着用を補助する補助部品が設置されることを特徴とする防砂サイクリングマスク。
【請求項２】
前記揺動部品は前記スライドボードの前後端面に位置する位置制限ブロックを含み、前記位置制限ブロックと前記スライド溝の内壁とがスライドできるように動作し合い、前記スライドボードの底部端面にはラックが設置され、前記揺動チャンバの後側壁の中には二本の揺動軸が回転できるように取り付けられ、前記揺動軸には歯車が設置され、前記歯車と前記ラックとが噛み合っており、前記揺動軸が前に前記外殻の前側端面を通り抜けており、前記揺動軸の前端面には揺動棒が設置され、前記揺動棒にはスポンジが設置され、前記スポンジと前記透明板の前端面とが接触しており、スライドボードが左右に移動してラックを同期的に移動連動させ、ラックが噛合によって歯車と揺動軸を回転連動させ、揺動軸が回転して揺動棒とスポンジを揺動連動させ、透明板の表面の砂を両側に払うことを特徴とする請求項１に記載の防砂サイクリングマスク。
【請求項３】
前記制御部品は前記揺動チャンバの左側に位置する左線巻きチャンバと右側の右線巻きチャンバを含み、前記左線巻きチャンバと前記右線巻きチャンバの前後壁との間にはリールが回転できるように取り付けられ、、前記左線巻きチャンバの下方にはぜんまいチャンバが連通して設置され、前記ぜんまいチャンバの前後壁の間にはぜんまい軸が固定的に取り付けられ、前記ぜんまい軸の外側にはぜんまいが設置され、前記スライドボードの左右両端には線が設置され、左側の前記線が左側の前記右線巻きチャンバの周りを回って前記ぜんまいと固定され、前記スライドボードと前記スライド溝の右壁との間には撥条が設置され、
右側の前記線が前記リールの周りを経由してスライドボードを右へ引っ張り、撥条を押し動かして力を蓄え、同時に左側の線がぜんまいを引っ張って力を蓄え、線がゆるくなった後、スライドボードは撥条の左への推力及びぜんまいの作用によって早く復帰することを特徴とする請求項１に記載の防砂サイクリングマスク。
【請求項４】
前記駆動部品は前記右線巻きチャンバの下方に位置する駆動チャンバを含み、前記駆動チャンバの後側壁の中にはターボが回転できるように取り付けられ、前記ターボの前側端面には線巻きブロックが設置され、前記線巻きブロックと前記ターボとの間には斜面ブロックが設置され、前記線巻きブロックには半周の環状溝が設置され、右側の前記線が前記リールの周りを回って下へ前記環状溝の右端と固定され、前記駆動チャンバの左右壁の間にはウォームが回転できるように取り付けられ、前記ウォームと前記ターボとが噛み合っており、前記駆動チャンバの底壁にはモーターが固定的に取り付けられ、前記モーターの上方の出力軸の端部には第一傘歯車が設置され、前記ウォームには第二傘歯車が設置され、前記第二傘歯車と前記第一傘歯車とが噛み合っている；、モーターを始動して第一傘歯車を回転連動させ、第一傘歯車が噛合によって第二傘歯車とウォームとを回転連動させ、ウォームが噛合によってターボと線巻きブロックを回転連動させ、線を環状溝に巻き付いて斜面ブロックと合うと線が外に傾き、線巻きブロックの端面に沿ってスライドし、撥条とぜんまいとの作用によって上へ引き戻されることを特徴とする請求項１に記載の防砂サイクリングマスク。
【請求項５】
前記補助部品は前記外殻の中に位置する対称的な電池を含み、前記外殻の中には充電穴が設置され、前記充電穴の開口にはネジ山塞ぎがネジ山によって取り付けられ、前記外殻の後側端面には第一ゴムブロックが設置され、前記外殻の後側端面には左右に対称的な第二ゴムブロックが設置され、前記外殻の後側端面には弾力バンドが設置され、着用する時弾力バンドを引き開いてヘルメットに掛け、第一ゴムブロックと第二ゴムブロックとがヘルメットの表面に接触し、外殻を安定させることを特徴とする請求項１に記載の防砂サイクリングマスク。
【発明の詳細な説明】
【技術分野】
【０００１】
本発明はサイクリングマスクの分野を取り上げて、具体的には防砂サイクリングマスクである。
【背景技術】
【０００２】
北方には砂嵐があり、外にサイクリングする時ヘルメットの表面には砂が付着し、前の道が見えなくなり、手で砂を払えば砂が手に付着し、こんな状況は人に嫌がり、自動車のワイパーは絶えずにガラスの表面の砂を払え、もしヘルメットもできれば外出に便利を与える。
【先行技術文献】
【特許文献】
【０００３】
【特許文献１】中国特許出願公開第１０９４３０９７１号明細書
【発明の概要】
【発明が解決しようとする課題】
【０００４】
本発明の目的は防砂サイクリングマスクを提供し、現有の技術の上記欠点を克服できる。
【課題を解決するための手段】
【０００５】
本発明の実施例における防砂サイクリングマスクは、外殻を含み、前記外殻の中には透明板が設置され、前記外殻の中には前記透明板の表面の砂を除く揺動部品が設置され、前記揺動部品は前記外殻の中に位置する揺動チャンバを含み、前記揺動チャンバの頂壁には固定ブロックが固定的に取り付けられ、前記固定ブロックの中には下に開口したスライド溝が設置され、前記スライド溝の中にはスライドボードがスライドできるように取り付けられ、前記揺動チャンバの左右両側には前記スライドボードの左右移動を制御する制御部品が設置され、前記外殻の中には前記制御部品の作動を制御する駆動部品が設置され、前記外殻の中に及び前記外殻の端面には作動及び着用を補助する補助部品が設置される。
【０００６】
更なる技術方案、前記揺動部品は前記スライドボードの前後端面に位置する位置制限ブロックを含み、前記位置制限ブロックと前記スライド溝の内壁とがスライドできるように動作し合い、前記スライドボードの底部端面にはラックが設置され、前記揺動チャンバの後側壁の中には二本の揺動軸が回転できるように取り付けられ、前記揺動軸には歯車が設置され、前記歯車と前記ラックとが噛み合っており、前記揺動軸が前に前記外殻の前側端面を通り抜けており、前記揺動軸の前端面には揺動棒が設置され、前記揺動棒にはスポンジが設置され、前記スポンジと前記透明板の前端面とが接触している。
【０００７】
更なる技術方案、前記制御部品は前記揺動チャンバの左側に位置する左線巻きチャンバと右側の右線巻きチャンバを含み、前記左線巻きチャンバと前記右線巻きチャンバの前後壁との間にはリールが回転できるように取り付けられ、、前記左線巻きチャンバの下方にはぜんまいチャンバが連通して設置され、前記ぜんまいチャンバの前後壁の間にはぜんまい軸が固定的に取り付けられ、前記ぜんまい軸の外側にはぜんまいが設置され、前記スライドボードの左右両端には線が設置され、左側の前記線が左側の前記右線巻きチャンバの周りを回って前記ぜんまいと固定され、前記スライドボードと前記スライド溝の右壁との間には撥条が設置され、
右側の前記線が前記リールの周りを経由してスライドボードを右へ引っ張り、撥条を押し動かして力を蓄え、同時に左側の線がぜんまいを引っ張って力を蓄え、線がゆるくなった後、スライドボードは撥条の左への推力及びぜんまいの作用によって早く復帰する。
【０００８】
更なる技術方案、前記駆動部品は前記右線巻きチャンバの下方に位置する駆動チャンバを含み、前記駆動チャンバの後側壁の中にはターボが回転できるように取り付けられ、前記ターボの前側端面には線巻きブロックが設置され、前記線巻きブロックと前記ターボとの間には斜面ブロックが設置され、前記線巻きブロックには半周の環状溝が設置され、右側の前記線が前記リールの周りを回って下へ前記環状溝の右端と固定され、前記駆動チャンバの左右壁の間にはウォームが回転できるように取り付けられ、前記ウォームと前記ターボとが噛み合っており、前記駆動チャンバの底壁にはモーターが固定的に取り付けられ、前記モーターの上方の出力軸の端部には第一傘歯車が設置され、前記ウォームには第二傘歯車が設置され、前記第二傘歯車と前記第一傘歯車とが噛み合っている。
【０００９】
更なる技術方案、前記補助部品は前記外殻の中に位置する対称的な電池を含み、前記外殻の中には充電穴が設置され、前記充電穴の開口にはネジ山塞ぎがネジ山によって取り付けられ、前記外殻の後側端面には第一ゴムブロックが設置され、前記外殻の後側端面には左右に対称的な第二ゴムブロックが設置され、前記外殻の後側端面には弾力バンドが設置される。
【発明の効果】
【００１０】
本発明の有益な効果は下記の通りである：
【００１１】
本発明は揺動部品がつき、自動車のワイパーのように透明板の表面の砂を払え、視野を広げ、砂嵐の日に使われるだけではなく、雨の日にも使われ、雨粒によって遠いの光源を光輪に発散するのを防止し、出掛けに便利を与え、普及する価値がある。
【図面の簡単な説明】
【００１２】
【図１】図１は本発明の全体構成模式図
【図２】図２は図１のＡ−Ａの方向の断面構成模式図
【図３】図３は図２のＢ方向の模式図
【図４】図４はターボアとリールの構成図
【発明を実施するための形態】
【００１３】
以下は図１−４について本発明にを詳しく説明し、その中、便利に叙述するように、現在は後文に出る方位を下記の通りに規定する：後文に出る上下左右前後方向は図１本体の投影関係の上下左右前後方向と一致する。
【００１４】
図１−４を参考して、本発明の実施例における防砂サイクリングマスクは、外殻１０を含み、前記外殻１０の中には透明板１５が設置され、前記外殻１０の中には前記透明板１５の表面の砂を除く揺動部品９０１が設置され、前記揺動部品９０１は前記外殻１０の中に位置する揺動チャンバ２５を含み、前記揺動チャンバ２５の頂壁には固定ブロック２１が固定的に取り付けられ、前記固定ブロック２１の中には下に開口したスライド溝２７が設置され、前記スライド溝２７の中にはスライドボード２２がスライドできるように取り付けられ、前記揺動チャンバ２５の左右両側には前記スライドボード２２の左右移動を制御する制御部品９０２が設置され、前記外殻１０の中には前記制御部品９０２の作動を制御する駆動部品９０３が設置され、前記外殻１０の中に及び前記外殻１０の端面には作動及び着用を補助する補助部品９０４が設置される。
【００１５】
前記揺動部品９０１は前記スライドボード２２の前後端面に位置する位置制限ブロック２３を含み、前記位置制限ブロック２３と前記スライド溝２７の内壁とがスライドできるように動作し合い、前記スライドボード２２の底部端面にはラック２４が設置され、前記揺動チャンバ２５の後側壁の中には二本の揺動軸４６が回転できるように取り付けられ、前記揺動軸４６には歯車２６が設置され、前記歯車２６と前記ラック２４とが噛み合っており、前記揺動軸４６が前に前記外殻１０の前側端面を通り抜けており、前記揺動軸４６の前端面には揺動棒４５が設置され、前記揺動棒４５にはスポンジ４８が設置され、前記スポンジ４８と前記透明板１５の前端面とが接触しており、スライドボード２２が左右に移動してラック２４を同期的に移動連動させ、ラック２４が噛合によって歯車２６と揺動軸４６を回転連動させ、揺動軸４６が回転して揺動棒４５とスポンジ４８を揺動連動させ、透明板１５の表面の砂を両側に払う。
【００１６】
前記制御部品９０２は前記揺動チャンバ２５の左側に位置する左線巻きチャンバ１１と右側の右線巻きチャンバ３１を含み、前記左線巻きチャンバ１１と前記右線巻きチャンバ３１の前後壁との間にはリール３２が回転できるように取り付けられ、、前記左線巻きチャンバ１１の下方にはぜんまいチャンバ１２が連通して設置され、前記ぜんまいチャンバ１２の前後壁の間にはぜんまい軸１３が固定的に取り付けられ、前記ぜんまい軸１３の外側にはぜんまい１４が設置され、前記スライドボード２２の左右両端には線３０が設置され、左側の前記線３０が左側の前記右線巻きチャンバ３１の周りを回って前記ぜんまい１４と固定され、前記スライドボード２２と前記スライド溝２７の右壁との間には撥条２８が設置され、右側の前記線３０が前記リール３２の周りを経由してスライドボード２２を右へ引っ張り、撥条２８を押し動かして力を蓄え、同時に左側の線３０がぜんまい１４を引っ張って力を蓄え、線３０がゆるくなった後、スライドボード２２は撥条２８の左への推力及びぜんまい１４の作用によって早く復帰する。
【００１７】
前記駆動部品９０３は前記右線巻きチャンバ３１の下方に位置する駆動チャンバ３３を含み、前記駆動チャンバ３３の後側壁の中にはターボ３４が回転できるように取り付けられ、前記ターボ３４の前側端面には線巻きブロック３５が設置され、前記線巻きブロック３５と前記ターボ３４との間には斜面ブロック３６が設置され、前記線巻きブロック３５には半周の環状溝４７が設置され、右側の前記線３０が前記リール３２の周りを回って下へ前記環状溝４７の右端と固定され、前記駆動チャンバ３３の左右壁の間にはウォーム３８が回転できるように取り付けられ、前記ウォーム３８と前記ターボ３４とが噛み合っており、前記駆動チャンバ３３の底壁にはモーター４１が固定的に取り付けられ、前記モーター４１の上方の出力軸の端部には第一傘歯車４０が設置され、前記ウォーム３８には第二傘歯車３７が設置され、前記第二傘歯車３７と前記第一傘歯車４０とが噛み合っており、
モーター４１を始動して第一傘歯車４０を回転連動させ、第一傘歯車４０が噛合によって第二傘歯車３７とウォーム３８とを回転連動させ、ウォーム３８が噛合によってターボ３４と線巻きブロック３５を回転連動させ、線３０を環状溝３７に巻き付いて斜面ブロック３６と合うと線３０が外に傾き、線巻きブロック３５の端面に沿ってスライドし、撥条２８とぜんまい１４との作用によって上へ引き戻される。
【００１８】
前記補助部品９０４は前記外殻１０の中に位置する対称的な電池１８を含み、前記外殻１０の中には充電穴１７が設置され、前記充電穴１７の開口にはネジ山塞ぎ１６がネジ山によって取り付けられ、前記外殻１０の後側端面には第一ゴムブロック４２が設置され、前記外殻１０の後側端面には左右に対称的な第二ゴムブロック４３が設置され、前記外殻１０の後側端面には弾力バンド４４が設置され、着用する時弾力バンド４４を引き開いてヘルメットに掛け、第一ゴムブロック４２と第二ゴムブロック４３とがヘルメットの表面に接触し、外殻を安定させる。
【００１９】
使用する時、モーター４１を始動して第一傘歯車４０を回転連動させ、第一傘歯車４０が噛合によって第二傘歯車３７とウォーム３８とを回転連動させ、ウォーム３８が噛合によってターボ３４と線巻きブロック３５とを回転連動させ、線３０を環状溝４７に巻き付かせ、右側の線３０がスライドボード２２を右へ引っ張り、撥条２８を押し動かして力を蓄え、同時に左側の線３０がぜんまい１４を引っ張り力を蓄え、スライドボード２２が左右に移動してラック２４を同期的に移動連動させ、ラック２４が噛合によって歯車２６と揺動軸４６とを回転連動させ、揺動軸４６が回転して揺動棒４５とスポンジ４８とを揺動連動させ、透明板１５の表面の砂を両側に払う。
【００２０】
斜面ブロック３６と合うと線３０が外に傾き、線巻きブロック３５の端面に沿ってスライドし、線３０がゆるくなった後、スライドボード２２が撥条２８の左への推力及びぜんまい１４の作用によって早く復帰する。
【００２１】
着用する時、弾力バンド４４を引き開いた後ヘルメットに掛け、第一ゴムブロック４２及び第二ゴムブロック４３とヘルメットの表面とが接触し、外殻１０を安定させ、着用を完了し、充電穴１７によって電池１８にチャージでき、ネジ山塞ぎ１６が充電穴１７と外部とを分離でき、砂又は雨水が入るのを防止する。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020176359.tif 000003
【図２】
2020176359.tif 000004
【図３】
2020176359.tif 000005
【図４】
2020176359.tif 000006
【手続補正書】
【提出日】令和1年9月24日(2019.9.24)
【手続補正１】
【補正対象書類名】特許請求の範囲
【補正対象項目名】請求項１
【補正方法】変更
【補正の内容】
【請求項１】
防砂サイクリングマスクであって、外殻を含み、前記外殻の中には透明板が設置され、前記外殻の中には前記透明板の表面の砂を除く揺動部品が設置され、前記揺動部品は前記外殻の中に位置する揺動チャンバを含み、前記揺動チャンバの頂壁には固定ブロックが固定的に取り付けられ、前記固定ブロックの中には下に開口したスライド溝が設置され、前記スライド溝の中にはスライドボードがスライドできるように取り付けられ、前記揺動チャンバの左右両側には前記スライドボードの左右移動を制御する制御部品が設置され、前記外殻の中には前記制御部品の作動を制御する駆動部品が設置され、前記外殻の中に及び前記外殻の端面には作動及び着用を補助する補助部品が設置され、
前記揺動部品は前記スライドボードの前後端面に位置する位置制限ブロックを含み、前記位置制限ブロックと前記スライド溝の内壁とがスライドできるように動作し合い、前記スライドボードの底部端面にはラックが設置され、前記揺動チャンバの後側壁の中には二本の揺動軸が回転できるように取り付けられ、前記揺動軸には歯車が設置され、前記歯車と前記ラックとが噛み合っており、前記揺動軸が前に前記外殻の前側端面を通り抜けており、前記揺動軸の前端面には揺動棒が設置され、前記揺動棒にはスポンジが設置され、前記スポンジと前記透明板の前端面とが接触しており、スライドボードが左右に移動してラックを同期的に移動連動させ、ラックが噛合によって歯車と揺動軸を回転連動させ、揺動軸が回転して揺動棒とスポンジを揺動連動させ、透明板の表面の砂を両側に払い、
前記制御部品は前記揺動チャンバの左側に位置する左線巻きチャンバと右側の右線巻きチャンバを含み、前記左線巻きチャンバと前記右線巻きチャンバの前後壁との間にはリールが回転できるように取り付けられ、前記左線巻きチャンバの下方にはぜんまいチャンバが連通して設置され、前記ぜんまいチャンバの前後壁の間にはぜんまい軸が固定的に取り付けられ、前記ぜんまい軸の外側にはぜんまいが設置され、前記スライドボードの左右両端には線が設置され、左側の前記線が左側の前記右線巻きチャンバの周りを回って前記ぜんまいと固定され、右側の線がスライドボードを右へ引っ張り、撥条を押し動かして力を蓄え、同時に左側の線がぜんまいを引っ張って力を蓄え、線がゆるくなった後、スライドボードは撥条の左への推力及びぜんまいの作用によって早く復帰し、
前記駆動部品は前記右線巻きチャンバの下方に位置する駆動チャンバを含み、前記駆動チャンバの後側壁の中にはターボが回転できるように取り付けられ、前記ターボの前側端面には線巻きブロックが設置され、前記線巻きブロックと前記ターボとの間には斜面ブロックが設置され、前記線巻きブロックには半周の環状溝が設置され、右側の前記線が前記リールの周りを回って下へ前記環状溝の右端と固定され、前記駆動チャンバの左右壁の間にはウォームが回転できるように取り付けられ、前記ウォームと前記ターボとが噛み合っており、前記駆動チャンバの底壁にはモーターが固定的に取り付けられ、前記モーターの上方の出力軸の端部には第一傘歯車が設置され、前記ウォームには第二傘歯車が設置され、前記第二傘歯車と前記第一傘歯車とが噛み合っており、モーターを始動して第一傘歯車を回転連動させ、第一傘歯車が噛合によって第二傘歯車とウォームとを回転連動させ、ウォームが噛合によってターボと線巻きブロックを回転連動させ、線を環状溝に巻き付いて斜面ブロックと合うと線が外に傾き、線巻きブロックの端面に沿ってスライドし、撥条とぜんまいとの作用によって上へ引き戻され、
前記補助部品は前記外殻の中に位置する電池を含み、前記外殻の中には充電穴が設置され、前記充電穴の開口にはネジ山塞ぎがネジ山によって係合取り付けられ、前記外殻の後側端面には第一ゴムブロックが設置され、前記外殻の後側端面には左右に対称的な第二ゴムブロックが設置され、前記外殻の後側端面には弾力バンドが設置され、着用する時弾力バンドを引き開いてヘルメットに掛け、第一ゴムブロックと第二ゴムブロックとがヘルメットの表面に接触し、外殻を安定させ、着用完了後、充電穴を通じて電池にエネルギーをチャージでき、ネジ山塞ぎが充電穴と外部とを隔離でき、砂又は雨水が入るのを防止できることを特徴とする防砂サイクリングマスク。
【手続補正２】
【補正対象書類名】明細書
【補正対象項目名】全文
【補正方法】変更
【補正の内容】
【発明の詳細な説明】
【技術分野】
【０００１】
本発明はサイクリングマスクの分野を取り上げて、具体的には防砂サイクリングマスクである。
【背景技術】
【０００２】
北方には砂嵐があり、外にサイクリングする時ヘルメットの表面には砂が付着し、前の道が見えなくなり、手で砂を払えば砂が手に付着し、こんな状況は人に嫌がり、自動車のワイパーは絶えずにガラスの表面の砂を払え、もしヘルメットもできれば外出に便利を与える。
【先行技術文献】
【特許文献】
【０００３】
【特許文献１】中国特許出願公開第１０９４３０９７１号明細書
【発明の概要】
【発明が解決しようとする課題】
【０００４】
本発明の目的は防砂サイクリングマスクを提供し、現有の技術の上記欠点を克服できる。
【課題を解決するための手段】
【０００５】
本発明の実施例における防砂サイクリングマスクは、外殻を含み、前記外殻の中には透明板が設置され、前記外殻の中には前記透明板の表面の砂を除く揺動部品が設置され、前記揺動部品は前記外殻の中に位置する揺動チャンバを含み、前記揺動チャンバの頂壁には固定ブロックが固定的に取り付けられ、前記固定ブロックの中には下に開口したスライド溝が設置され、前記スライド溝の中にはスライドボードがスライドできるように取り付けられ、前記揺動チャンバの左右両側には前記スライドボードの左右移動を制御する制御部品が設置され、前記外殻の中には前記制御部品の作動を制御する駆動部品が設置され、前記外殻の中に及び前記外殻の端面には作動及び着用を補助する補助部品が設置される。
【０００６】
更なる技術方案、前記揺動部品は前記スライドボードの前後端面に位置する位置制限ブロックを含み、前記位置制限ブロックと前記スライド溝の内壁とがスライドできるように動作し合い、前記スライドボードの底部端面にはラックが設置され、前記揺動チャンバの後側壁の中には二本の揺動軸が回転できるように取り付けられ、前記揺動軸には歯車が設置され、前記歯車と前記ラックとが噛み合っており、前記揺動軸が前に前記外殻の前側端面を通り抜けており、前記揺動軸の前端面には揺動棒が設置され、前記揺動棒にはスポンジが設置され、前記スポンジと前記透明板の前端面とが接触しており、スライドボードが左右に移動してラックを同期的に移動連動させ、ラックが噛合によって歯車と揺動軸を回転連動させ、揺動軸が回転して揺動棒とスポンジを揺動連動させ、透明板の表面の砂を両側に払う。
【０００７】
更なる技術方案、前記制御部品は前記揺動チャンバの左側に位置する左線巻きチャンバと右側の右線巻きチャンバを含み、前記左線巻きチャンバと前記右線巻きチャンバの前後壁との間にはリールが回転できるように取り付けられ、前記左線巻きチャンバの下方にはぜんまいチャンバが連通して設置され、前記ぜんまいチャンバの前後壁の間にはぜんまい軸が固定的に取り付けられ、前記ぜんまい軸の外側にはぜんまいが設置され、前記スライドボードの左右両端には線が設置され、左側の前記線が左側の前記右線巻きチャンバの周りを回って前記ぜんまいと固定され、右側の線がスライドボードを右へ引っ張り、撥条を押し動かして力を蓄え、同時に左側の線がぜんまいを引っ張って力を蓄え、線がゆるくなった後、スライドボードは撥条の左への推力及びぜんまいの作用によって早く復帰する。
【０００８】
更なる技術方案、前記駆動部品は前記右線巻きチャンバの下方に位置する駆動チャンバを含み、前記駆動チャンバの後側壁の中にはターボが回転できるように取り付けられ、前記ターボの前側端面には線巻きブロックが設置され、前記線巻きブロックと前記ターボとの間には斜面ブロックが設置され、前記線巻きブロックには半周の環状溝が設置され、右側の前記線が前記リールの周りを回って下へ前記環状溝の右端と固定され、前記駆動チャンバの左右壁の間にはウォームが回転できるように取り付けられ、前記ウォームと前記ターボとが噛み合っており、前記駆動チャンバの底壁にはモーターが固定的に取り付けられ、前記モーターの上方の出力軸の端部には第一傘歯車が設置され、前記ウォームには第二傘歯車が設置され、前記第二傘歯車と前記第一傘歯車とが噛み合っており、モーターを始動して第一傘歯車を回転連動させ、第一傘歯車が噛合によって第二傘歯車とウォームとを回転連動させ、ウォームが噛合によってターボと線巻きブロックを回転連動させ、線を環状溝に巻き付いて斜面ブロックと合うと線が外に傾き、線巻きブロックの端面に沿ってスライドし、撥条とぜんまいとの作用によって上へ引き戻される。
【０００９】
更なる技術方案、前記補助部品は前記外殻の中に位置する電池を含み、前記外殻の中には充電穴が設置され、前記充電穴の開口にはネジ山塞ぎがネジ山によって係合取り付けられ、前記外殻の後側端面には第一ゴムブロックが設置され、前記外殻の後側端面には左右に対称的な第二ゴムブロックが設置され、前記外殻の後側端面には弾力バンドが設置され、着用する時弾力バンドを引き開いてヘルメットに掛け、第一ゴムブロックと第二ゴムブロックとがヘルメットの表面に接触し、外殻を安定させる。
【発明の効果】
【００１０】
本発明の有益な効果は下記の通りである：
【００１１】
本発明は揺動部品がつき、自動車のワイパーのように透明板の表面の砂を払え、視野を広げ、砂嵐の日に使われるだけではなく、雨の日にも使われ、雨粒によって遠いの光源を光輪に発散するのを防止し、出掛けに便利を与え、普及する価値がある。
【図面の簡単な説明】
【００１２】
【図１】図１は本発明の全体構成模式図であり；
【図２】図２は図１のＡ−Ａの方向の断面構成模式図であり；
【図３】図３は図２のＢ方向の模式図であり；
【図４】図４はウォームギアとリールの構成図である。
【発明を実施するための形態】
【００１３】
以下は図１〜４について本発明にを詳しく説明し、その中、便利に叙述するように、現在は後文に出る方位を下記の通りに規定する：後文に出る上下左右前後方向は図1本体の投影関係の上下左右前後方向と一致する。
【００１４】
図１−４を参考して、本発明の実施例における防砂サイクリングマスクは、外殻１０を含み、前記外殻１０の中には透明板１５が設置され、前記外殻１０の中には前記透明板１５の表面の砂を除く揺動部品９０１が設置され、前記揺動部品９０１は前記外殻１０の中に位置する揺動チャンバ２５を含み、前記揺動チャンバ２５の頂壁には固定ブロック２１が固定的に取り付けられ、前記固定ブロック２１の中には下に開口したスライド溝２７が設置され、前記スライド溝２７の中にはスライドボード２２がスライドできるように取り付けられ、前記揺動チャンバ２５の左右両側には前記スライドボード２２の左右移動を制御する制御部品９０２が設置され、前記外殻１０の中には前記制御部品９０２の作動を制御する駆動部品９０３が設置され、前記外殻１０の中に及び前記外殻１０の端面には作動及び着用を補助する補助部品９０４が設置される。
【００１５】
前記揺動部品９０１は前記スライドボード２２の前後端面に位置する位置制限ブロック２３を含み、前記位置制限ブロック２３と前記スライド溝２７の内壁とがスライドできるように動作し合い、前記スライドボード２２の底部端面にはラック２４が設置され、前記揺動チャンバ２５の後側壁の中には二本の揺動軸４６が回転できるように取り付けられ、前記揺動軸４６には歯車２６が設置され、前記歯車２６と前記ラック２４とが噛み合っており、前記揺動軸４６が前に前記外殻１０の前側端面を通り抜けており、前記揺動軸４６の前端面には揺動棒４５が設置され、前記揺動棒４５にはスポンジ４８が設置され、前記スポンジ４８と前記透明板１５の前端面とが接触しており、スライドボード２２が左右に移動してラック２４を同期的に移動連動させ、ラック２４が噛合によって歯車２６と揺動軸４６を回転連動させ、揺動軸４６が回転して揺動棒４５とスポンジ４８を揺動連動させ、透明板１５の表面の砂を両側に払う。
【００１６】
前記制御部品９０２は前記揺動チャンバ２５の左側に位置する左線巻きチャンバ１１と右側の右線巻きチャンバ３１を含み、前記左線巻きチャンバ１１と前記右線巻きチャンバ３１の前後壁との間にはリール３２が回転できるように取り付けられ、前記左線巻きチャンバ１１の下方にはぜんまいチャンバ１２が連通して設置され、前記ぜんまいチャンバ１２の前後壁の間にはぜんまい軸１３が固定的に取り付けられ、前記ぜんまい軸１３の外側にはぜんまい１４が設置され、前記スライドボード２２の左右両端には線３０が設置され、左側の前記線３０が左側の前記右線巻きチャンバ３１の周りを回って前記ぜんまい１４と固定され、右側の線３０がスライドボード２２を右へ引っ張り、撥条２８を押し動かして力を蓄え、同時に左側の線３０がぜんまい１４を引っ張って力を蓄え、線３０がゆるくなった後、スライドボード２２は撥条２８の左への推力及びぜんまい１４の作用によって早く復帰する。
【００１７】
前記駆動部品９０３は前記右線巻きチャンバ３１の下方に位置する駆動チャンバ３３を含み、前記駆動チャンバ３３の後側壁の中にはターボ３４が回転できるように取り付けられ、前記ターボ３４の前側端面には線巻きブロック３５が設置され、前記線巻きブロック３５と前記ターボ３４との間には斜面ブロック３６が設置され、前記線巻きブロック３５には半周の環状溝４７が設置され、右側の前記線３０が前記リール３２の周りを回って下へ前記環状溝４７の右端と固定され、前記駆動チャンバ３３の左右壁の間にはウォーム３８が回転できるように取り付けられ、前記ウォーム３８と前記ターボ３４とが噛み合っており、前記駆動チャンバ３３の底壁にはモーター４１が固定的に取り付けられ、前記モーター４１の上方の出力軸の端部には第一傘歯車４０が設置され、前記ウォーム３８には第二傘歯車３７が設置され、前記第二傘歯車３７と前記第一傘歯車４０とが噛み合っており、モーター４１を始動して第一傘歯車４０を回転連動させ、第一傘歯車４０が噛合によって第二傘歯車３７とウォーム３８とを回転連動させ、ウォーム３８が噛合によってターボ３４と線巻きブロック３５を回転連動させ、線３０を環状溝３７に巻き付いて斜面ブロック３６と合うと線３０が外に傾き、線巻きブロック３５の端面に沿ってスライドし、撥条２８とぜんまい１４との作用によって上へ引き戻される。
【００１８】
前記補助部品９０４は前記外殻１０の中に位置する電池１８を含み、前記外殻１０の中には充電穴１７が設置され、前記充電穴１７の開口にはネジ山塞ぎ１６がネジ山によって係合取り付けられ、前記外殻１０の後側端面には第一ゴムブロック４２が設置され、前記外殻１０の後側端面には左右に対称的な第二ゴムブロック４３が設置され、前記外殻１０の後側端面には弾力バンド４４が設置され、着用する時弾力バンド４４を引き開いてヘルメットに掛け、第一ゴムブロック４２と第二ゴムブロック４３とがヘルメットの表面に接触し、外殻を安定させる。
【００１９】
使用する時、モーター４１を始動して第一傘歯車４０を回転連動させ、第一傘歯車４０が噛合によって第二傘歯車３７とウォーム３８とを回転連動させ、ウォーム３８が噛合によってターボ３４と線巻きブロック３５とを回転連動させ、線３０を環状溝４７に巻き付かせ、右側の線３０がスライドボード２２を右へ引っ張り、撥条２８を押し動かして力を蓄え、同時に左側の線３０がぜんまい１４を引っ張り力を蓄え、スライドボード２２が左右に移動してラック２４を同期的に移動連動させ、ラック２４が噛合によって歯車２６と揺動軸４６とを回転連動させ、揺動軸４６が回転して揺動棒４５とスポンジ４８とを揺動連動させ、透明板１５の表面の砂を両側に払う；
【００２０】
斜面ブロック３６と合うと線３０が外に傾き、線巻きブロック３５の端面に沿ってスライドし、線３０がゆるくなった後、スライドボード２２が撥条２８の左への推力及びぜんまい１４の作用によって早く復帰する；
【００２１】
着用する時、弾力バンド４４を引き開いた後ヘルメットに掛け、第一ゴムブロック４２及び第二ゴムブロック４３とヘルメットの表面とが接触し、外殻１０を安定させ、着用を完了し、充電穴１７によって電池１８にチャージでき、ネジ山塞ぎ１６が充電穴１７と外部とを分離でき、砂又は雨水が入るのを防止する。
【００２２】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【手続補正書】
【提出日】令和1年10月16日(2019.10.16)
【手続補正１】
【補正対象書類名】特許請求の範囲
【補正対象項目名】全文
【補正方法】変更
【補正の内容】
【特許請求の範囲】
【請求項１】
防砂サイクリングマスクであって、外殻を含み、前記外殻の中には透明板が設置され、前記外殻の中には前記透明板の表面の砂を除く揺動部品が設置され、前記揺動部品は前記外殻の中に位置する揺動チャンバを含み、前記揺動チャンバの頂壁には固定ブロックが固定的に取り付けられ、前記固定ブロックの中には下に開口したスライド溝が設置され、前記スライド溝の中にはスライドボードがスライドできるように取り付けられ、前記揺動チャンバの左右両側には前記スライドボードの左右移動を制御する制御部品が設置され、前記外殻の中には前記制御部品の作動を制御する駆動部品が設置され、前記外殻の中に及び前記外殻の端面には作動及び着用を補助する補助部品が設置され、
前記揺動部品は前記スライドボードの前後端面に位置する位置制限ブロックを含み、前記位置制限ブロックと前記スライド溝の内壁とがスライドできるように動作し合い、前記スライドボードの底部端面にはラックが設置され、前記揺動チャンバの後側壁の中には二本の揺動軸が回転できるように取り付けられ、前記揺動軸には歯車が設置され、前記歯車と前記ラックとが噛み合っており、前記揺動軸が前に前記外殻の前側端面を通り抜けており、前記揺動軸の前端面には揺動棒が設置され、前記揺動棒にはスポンジが設置され、前記スポンジと前記透明板の前端面とが接触しており、スライドボードが左右に移動してラックを同期的に移動連動させ、ラックが噛合によって歯車と揺動軸を回転連動させ、揺動軸が回転して揺動棒とスポンジを揺動連動させ、透明板の表面の砂を両側に払い、
前記制御部品は前記揺動チャンバの左側に位置する左線巻きチャンバと右側の右線巻きチャンバを含み、前記左線巻きチャンバと前記右線巻きチャンバの前後壁との間にはリールが回転できるように取り付けられ、前記左線巻きチャンバの下方にはぜんまいチャンバが連通して設置され、前記ぜんまいチャンバの前後壁の間にはぜんまい軸が固定的に取り付けられ、前記ぜんまい軸の外側にはぜんまいが設置され、前記スライドボードの左右両端には線が設置され、左側の前記線が左側の前記右線巻きチャンバの周りを回って前記ぜんまいと固定され、右側の線がスライドボードを右へ引っ張り、撥条を押し動かして力を蓄え、同時に左側の線がぜんまいを引っ張って力を蓄え、線がゆるくなった後、スライドボードは撥条の左への推力及びぜんまいの作用によって早く復帰し、
前記駆動部品は前記右線巻きチャンバの下方に位置する駆動チャンバを含み、前記駆動チャンバの後側壁の中にはターボが回転できるように取り付けられ、前記ターボの前側端面には線巻きブロックが設置され、前記線巻きブロックと前記ターボとの間には斜面ブロックが設置され、前記線巻きブロックには半周の環状溝が設置され、右側の前記線が前記リールの周りを回って下へ前記環状溝の右端と固定され、前記駆動チャンバの左右壁の間にはウォームが回転できるように取り付けられ、前記ウォームと前記ターボとが噛み合っており、前記駆動チャンバの底壁にはモーターが固定的に取り付けられ、前記モーターの上方の出力軸の端部には第一傘歯車が設置され、前記ウォームには第二傘歯車が設置され、前記第二傘歯車と前記第一傘歯車とが噛み合っており、モーターを始動して第一傘歯車を回転連動させ、第一傘歯車が噛合によって第二傘歯車とウォームとを回転連動させ、ウォームが噛合によってターボと線巻きブロックを回転連動させ、線を環状溝に巻き付いて斜面ブロックと合うと線が外に傾き、線巻きブロックの端面に沿ってスライドし、撥条とぜんまいとの作用によって上へ引き戻され、
前記補助部品は前記外殻の中に位置する電池を含み、前記外殻の中には充電穴が設置され、前記充電穴の開口にはネジ山塞ぎがネジ山によって係合取り付けられ、前記外殻の後側端面には第一ゴムブロックが設置され、前記外殻の後側端面には左右に対称的な第二ゴムブロックが設置され、前記外殻の後側端面には弾力バンドが設置され、着用する時弾力バンドを引き開いてヘルメットに掛け、第一ゴムブロックと第二ゴムブロックとがヘルメットの表面に接触し、外殻を安定させ、着用完了後、充電穴を通じて電池にエネルギーをチャージでき、ネジ山塞ぎが充電穴と外部とを隔離でき、砂又は雨水が入るのを防止できることを特徴とする防砂サイクリングマスク。